(57)【要約】【課題】クライアント装置がユーザ向けのより多様で役立つサービスを取得できるように、ＯＳＧｉに適用されるゲートウェイサービス提供方法を実現する。【解決手段】この方法は、少なくとも1つのクライアント装置の少なくとも1つの識別情報を取得するステップS120と、この識別情報に従って、少なくとも1つのサービスサプライヤと通信するステップ140と、クライアント装置に対応し、サービスサプライヤにより提供される少なくとも1つのＯＳＧｉバンドルを取得するステップS160と、ＯＳＧｉバンドルを処理して、クライアント装置にサービスを提供するステップS180とを含む。【選択図】図１
2010097590.tif 000002
【特許請求の範囲】
【請求項１】
Open Services Gateway initiative（ＯＳＧｉ）のゲートウェイ装置に適用されるゲートウェイサービス提供方法であって、
少なくとも1つのクライアント装置の少なくとも1つの識別情報を取得するステップと、
前記識別情報に従って、少なくとも1つのサービスサプライヤと通信するステップと、
前記クライアント装置に対応し、前記サービスサプライヤにより提供される少なくとも1つのＯＳＧｉバンドルを取得するステップと、
前記ＯＳＧｉバンドルを処理して、前記クライアント装置にサービスを提供するステップとを含む、Open Services Gateway initiative（ＯＳＧｉ）のゲートウェイ装置に適用される方法。
【請求項２】
前記識別情報に従って、前記サービスサプライヤと通信する前記ステップが、
サービスロケータに問い合わせることにより、前記識別情報に従って、前記サービスサプライヤに対応するアドレスを取得する手順と、
前記アドレスに従って、前記サービスサプライヤと通信する手順とを含む、請求項1に記載の方法。
【請求項３】
前記ＯＳＧｉバンドルは、前記クライアント装置の駆動プログラムを備えており、
前記ＯＳＧｉバンドルを処理して、前記クライアント装置にサービスを提供する前記ステップが、前記駆動プログラムを実行して前記クライアント装置を制御し、特定の機能を実施することを含む、請求項1に記載の方法。
【請求項４】
サービスを提供する前記ステップが、前記サービスサプライヤにより前記クライアント装置に提供される前記サービスに従い、管理モジュールにより料金を計算する動作を行うことをさらに含む、請求項1に記載の方法。
【請求項５】
前記クライアント装置の前記識別情報を取得する前記ステップが、前記クライアント装置の前記識別情報を、通信接続を介して取得することをさらに含む、請求項1に記載の方法。
【請求項６】
前記通信接続が、赤外線通信及びブルートゥース通信のうちの1つである、請求項5に記載の方法。
【請求項７】
前記通信接続が、伝送制御プロトコル／インターネットプロトコル（TCP／IP）を適用したネットワーク通信である、請求項5に記載の方法。
【請求項８】
前記識別情報を取得したのちに、前記クライアント装置が前記識別情報に従って当該ゲートウェイサービス提供方法を使用することができる装置であるか、判断し、そうでなければ当該方法を終了するステップをさらに含む、請求項1に記載の方法。
【請求項９】
Open Services Gateway initiative（ＯＳＧｉ）に適用されるゲートウェイ装置であって、
ＯＳＧｉフレームワーク内で作動して少なくとも1つのクライアント装置の識別情報を取得し、前記識別情報に従って少なくとも1つのサービスサプライヤと通信するため、及び、前記クライアント装置に対応し、前記サービスサプライヤにより提供される少なくとも1つのＯＳＧｉバンドルを取得するためのプロセッサであって、前記ＯＳＧｉバンドルを処理して、前記クライアント装置にサービスを提供するプロセッサと、
前記ＯＳＧｉバンドルを記憶する記憶ユニットとを備える、ゲートウェイ装置。
【請求項１０】
前記サービスサプライヤに対応するアドレスを記憶するサービスロケータをさらに備え、
前記プロセッサが前記識別情報に従って前記サービスサプライヤと通信するときに、前記プロセッサは、前記サービスロケータに問い合わせることにより、前記識別情報に従って、前記サービスサプライヤに対応するアドレスを取得し、前記アドレスに従って前記サービスサプライヤと通信する、請求項9に記載のゲートウェイ装置。
【請求項１１】
前記ＯＳＧｉバンドルは、前記クライアント装置の駆動プログラムを備えており、前記プロセッサが前記ＯＳＧｉバンドルを処理するときに、前記プロセッサは前記駆動プログラムを実行して前記クライアント装置を制御し、特定の機能を実施する、請求項9に記載のゲートウェイ装置。
【請求項１２】
前記プロセッサが前記クライアント装置の前記識別情報を取得するときに、前記プロセッサは、前記クライアント装置の前記識別情報を、通信接続を介して取得する、請求項9に記載のゲートウェイ装置。
【請求項１３】
前記通信接続が、赤外線通信及びブルートゥース通信のうちの1つである、請求項12に記載のゲートウェイ装置。
【請求項１４】
前記通信接続が、伝送制御プロトコル／インターネットプロトコル（TCP／IP）を適用したネットワーク通信である、請求項12に記載のゲートウェイ装置。
【請求項１５】
前記識別情報を取得したのちに、前記プロセッサは、前記クライアント装置が前記識別情報に従ってゲートウェイサービス提供方法を使用することができる装置であるか、さらに判断し、前記クライアント装置が前記ゲートウェイサービス提供方法を使用することができない場合、続く動作を終了する、請求項9に記載のゲートウェイ装置。
【請求項１６】
前記クライアント装置が携帯型の電子装置である、請求項9に記載のゲートウェイ装置。
【請求項１７】
Open Services Gateway initiative（ＯＳＧｉ）に適用されるゲートウェイシステムであって、
少なくとも1つのクライアント装置に対応する少なくとも1つのＯＳＧｉバンドルを提供するためのサービスサプライヤと、
ＯＳＧｉフレームワーク内で作動して前記クライアント装置の識別情報を取得し、前記識別情報に従って前記サービスサプライヤと通信するため、及び、前記クライアント装置に対応し、前記サービスサプライヤにより提供される前記ＯＳＧｉバンドルを取得するためのプロセッサであって、前記ＯＳＧｉバンドルを処理して、前記クライアント装置にサービスを提供するプロセッサ、並びに、前記ＯＳＧｉバンドルを記憶する記憶ユニットを備える、ＯＳＧｉゲートウェイ装置とを備える、ゲートウェイシステム。
【請求項１８】
前記サービスサプライヤに対応するアドレスを記憶するためのサービスロケータをさらに備え、
前記ゲートウェイ装置が前記識別情報に従って前記サービスサプライヤと通信するときに、前記ゲートウェイ装置は、前記サービスロケータに問い合わせることにより、前記識別情報に従って、前記サービスサプライヤに対応する前記アドレスを取得し、前記アドレスに従って前記サービスサプライヤと通信する、請求項17に記載のゲートウェイシステム。
【請求項１９】
前記サービスサプライヤに対応するアドレスを記憶するためのサービスロケータをさらに備え、
前記プロセッサが前記識別情報に従って前記サービスサプライヤと通信するときに、前記プロセッサは、前記サービスロケータに問い合わせることにより、前記識別情報に従って、前記サービスサプライヤに対応する前記アドレスを取得し、前記アドレスに従って前記サービスサプライヤと通信する、請求項17に記載のゲートウェイシステム。
【請求項２０】
前記ＯＳＧｉバンドルは、前記クライアント装置の駆動プログラムを備えており、前記プロセッサはさらに、前記駆動プログラムを実行して前記クライアント装置を制御し、特定の機能を実施する、請求項17に記載のゲートウェイシステム。
【請求項２１】
前記ゲートウェイ装置が前記クライアント装置にサービスを提供するときに、前記サービスサプライヤにより前記クライアント装置に提供される前記サービスに従い、料金を計算する動作を行うための管理モジュールをさらに備える、請求項20に記載のゲートウェイシステム。
【請求項２２】
前記プロセッサが前記クライアント装置の前記識別情報を取得するときに、前記プロセッサは、前記クライアント装置の前記識別情報を、通信接続を介して取得する、請求項17に記載のゲートウェイシステム。
【請求項２３】
前記通信接続が、赤外線通信及びブルートゥース通信のうちの1つである、請求項22に記載のゲートウェイシステム。
【請求項２４】
前記通信接続が、伝送制御プロトコル／インターネットプロトコル（TCP／IP）を適用したネットワーク通信である、請求項22に記載のゲートウェイシステム。
【請求項２５】
前記識別情報を取得したのちに、前記プロセッサはさらに、前記クライアント装置が前記識別情報に従ってゲートウェイサービス提供方法を使用することができる装置であるか、判断し、前記クライアント装置が前記ゲートウェイサービス提供方法を使用することができない場合、続く動作を終了する、請求項17に記載のゲートウェイシステム。
【請求項２６】
前記クライアント装置が携帯型の電子装置である、請求項17に記載のゲートウェイシステム。
【発明の詳細な説明】
【技術分野】
【０００１】
本発明は、一般的にゲートウェイサービス提供方法に関し、より詳しくは、Open Services Gateway initiative（ＯＳＧｉ）に適用されるゲートウェイサービス提供方法並びにそれを用いたゲートウェイ装置及びシステムに関するものである。
【背景技術】
【０００２】
ＯＳＧｉは、1999年に設立された非営利組織であり、ネットワークを介してクライアント装置に所望のサービスを提供する技術のためのopen service initiative及び共通基準を構築することを目的としている。すなわち、ＯＳＧｉはオープンなプラットフォームを定めている。
このプラットフォームのもとで、ユーザがクライアント装置を操作すると、ユーザはＯＳＧｉゲートウェイ装置と通信して、クライアント装置を提供するサプライヤがセットアップ（設立）したサービスサプライヤと通信し、そこからアプリケーションプログラム又は他のアプリケーション情報をダウンロードすることができる。ゆえに、従来のＯＳＧｉゲートウェイシステムでは、ユーザはサービスサプライヤから自分でサービスを取得せねばならず、可能なサービスの種類が制限されていた。
【０００３】
その結果、クライアント装置がユーザ向けのより多様で役立つサービスを、ゲートウェイ装置を通じて取得できるようにすることが、関連産業の努力の対象となっている。
米国特許出願第2006/0159110号は、「Open service gateway initiativeベースの家庭用ゲートウェイ機器及びその装置登録方法」という名称である。この特許出願において、ＯＳＧｉベースの家庭用ゲートウェイ機器及び装置登録方法は、家庭内ネットワークに接続された複数の家庭用装置から制御可能なミドルウェアをロードしていない少なくとも1つのレガシー装置を検出する装置検出ユニットと、検出されたレガシー装置の駆動情報を、外部ネットワークを通じて受信する外部ネットワークインターフェースと、入力駆動情報及び家庭内ネットワークで使用することのできる所与のネットワークプロトコルを組み合わせることによりレガシーバンドルを生成するバンドル生成ユニットと、生成されたレガシーバンドルをＯＳＧｉフレームワークに登録する装置登録ユニットとを含んでいる。
【先行技術文献】
【特許文献】
【０００４】
【特許文献１】米国特許出願第2006/0159110号公報
【発明の概要】
【発明が解決しようとする課題】
【０００５】
本発明は、クライアント装置がユーザ向けのより多様で役立つサービスを取得できるように、ＯＳＧｉに適用されるゲートウェイサービス提供方法並びにそれを用いたゲートウェイ装置及びシステムを提供することを目的とする。
【課題を解決するための手段】
【０００６】
本発明は、ゲートウェイサービス提供方法を提供するものである。ゲートウェイサービス提供方法は、ＯＳＧｉのゲートウェイ装置に適用される。本方法は、少なくとも1つのクライアント装置の少なくとも1つの識別情報を取得するステップと、識別情報に従って、少なくとも1つのサービスサプライヤと通信するステップと、クライアント装置に対応し、サービスサプライヤにより提供される少なくとも1つのＯＳＧｉバンドルを取得するステップと、ＯＳＧｉバンドルを処理して、クライアント装置にサービスを提供するステップとを含んでいる。
【０００７】
また、本発明に一致して、ＯＳＧｉに適用されるゲートウェイ装置を提供する。ゲートウェイ装置は、プロセッサ及び記憶ユニットを含んでいる。プロセッサは、ＯＳＧｉフレームワーク内で作動して少なくとも1つのクライアント装置の識別情報を取得し、この識別情報に従って少なくとも1つのサービスサプライヤと通信するため、及び、クライアント装置に対応し、サービスサプライヤから提供される少なくとも1つのＯＳＧｉバンドルを取得するためのものであり、プロセッサはＯＳＧｉバンドルを処理して、サービスをクライアント装置に提供する。記憶ユニットはＯＳＧｉバンドルを記憶するためのものである。
【０００８】
さらに、本発明は、ＯＳＧｉに適用されるゲートウェイシステムを提供する。このゲートウェイシステムは、サービスサプライヤ及びＯＳＧｉゲートウェイ装置を備えている。サービスサプライヤは、少なくとも1つのクライアント装置に対応する少なくとも1つのＯＳＧｉバンドルを提供するためのものである。ＯＳＧｉゲートウェイ装置は、プロセッサ及び記憶ユニットを備えている。プロセッサは、ＯＳＧｉフレームワーク内で作動してクライアント装置の識別情報を取得し、識別情報に従ってサービスサプライヤと通信するため、及び、クライアント装置に対応し、サービスサプライヤから提供されるＯＳＧｉバンドルを取得するためのものであり、プロセッサはＯＳＧｉバンドルを処理して、サービスをクライアント装置に提供する。記憶ユニットはＯＳＧｉバンドルを記憶するためのものである。
【図面の簡単な説明】
【０００９】
【図１】本発明の例示的な実施形態に係るゲートウェイサービス提供方法のフローチャートである。
【図２】本発明の例示的な実施形態に係るＯＳＧｉゲートウェイシステムのブロック図である。
【発明を実施するための形態】
【００１０】
図1は、本発明の例示的な実施形態に係るゲートウェイサービス提供方法のフローチャートを示す。本方法は、ＯＳＧｉのゲートウェイ装置に適用される。
本方法は、以下のステップを含んでいる。
ステップS120において、少なくとも1つのクライアント装置の少なくとも1つの識別情報を取得する。ステップS140において、この識別情報に従って、少なくとも1つのサービスサプライヤと通信する。ステップS160において、クライアント装置に対応し、サービスサプライヤにより提供される少なくとも1つのＯＳＧｉバンドルを取得する。ステップS180において、ＯＳＧｉバンドルを処理して、サービスをクライアント装置に提供する。
【００１１】
以下の記述において、本方法を適用するＯＳＧｉゲートウェイシステムを、本発明をさらに説明するのに使用する。
図2は、本発明の例示的な実施形態に係るＯＳＧｉゲートウェイシステム200のブロック図を示す。ＯＳＧｉゲートウェイシステム200は、サービスサプライヤ220、ＯＳＧｉゲートウェイ装置240、サービスロケータ260及び管理モジュール280を含んでいる。サービスサプライヤ220は、少なくとも1つのクライアント装置210に対応する少なくとも1つのＯＳＧｉバンドルBNDを提供するのに使用される。ＯＳＧｉゲートウェイ装置240は、プロセッサ242及び記憶ユニット244を含んでいる。プロセッサ242は、図1に示すようにＯＳＧｉゲートウェイサービス提供方法を実施するために、ＯＳＧｉフレームワーク内で作動するためのものである。
【００１２】
プロセッサ242は、クライアント装置210の識別情報IDを取得する。例えば、図2において、プロセッサ242は、クライアント装置210の識別情報IDを、通信接続を介して取得する。通信接続は、例えば赤外線通信又はブルートゥース通信の1つである。別の用途において、通信接続は、伝送制御プロトコル／インターネットプロトコル（TCP／IP）を適用したネットワーク通信である。しかし、本発明はこれに限定されない。ゲートウェイ装置240が、書き込み又はワイヤレスの仕方によりクライアント装置210の識別情報IDを取得できる限り、代替案はすべて本発明の請求の範囲を逸脱するものではない。
【００１３】
プロセッサ242が識別情報IDを取得すると、プロセッサ242は、クライアント装置210が識別情報IDに従ってゲートウェイサービス提供方法を使用することができる装置であるかどうか、判断する。クライアント装置210はゲートウェイサービス提供方法を使用することができないと判断されると、プロセッサ242は続く動作を終了する。
プロセッサ242が、クライアント装置210は識別情報IDに従ってゲートウェイサービス提供方法を使用することができる装置であると判断すると、プロセッサ242は識別情報IDに従って、サービスサプライヤ220とさらに通信する。例えば、識別情報IDはクライアント装置210のシリアルナンバーであってもよく、又はクライアント装置210を識別することのできるいかなる情報であってもよい。サービスサプライヤ220は例えば、クライアント装置210を販売するサプライヤがセットアップしたサーバであってもよく、又はクライアント装置210向けに関連サービスを提供している専門の工場がセットアップしたサーバであってもよい。
【００１４】
以下の記述では、ＯＳＧｉゲートウェイ装置240のプロセッサ240が、識別情報IDに従ってサービスサプライヤ220と通信する仕方を示す。一実施形態では、ＯＳＧｉゲートウェイ装置240は、サービスロケータ260を介し、識別情報IDに従ってサービスサプライヤ220と通信する。この実施形態では、サービスロケータ260は例えば、アドレスADを記憶するサーバである。アドレスADはサービスサプライヤ220に対応している。ＯＳＧｉゲートウェイ装置240が識別情報IDに従ってサービスサプライヤ220と通信すると、ＯＳＧｉゲートウェイ装置240は、サービスロケータ260に問い合わせることにより、サービスサプライヤ220に対応するアドレスADを取得し、このようにしてアドレスADに従ってサービスサプライヤ220と通信する。実際の適用において、アドレスADは例えば、サービスサプライヤ220のIPアドレスである。ゆえに、ＯＳＧｉゲートウェイ装置240は、IPアドレスに従ってサービスサプライヤ220とのネットワーク通信接続を行うことができ、サービスサプライヤ220と通信するという目的を達成する。
【００１５】
さらに図2を参照して、ＯＳＧｉゲートウェイ装置240がサービスサプライヤ220と通信したのち、プロセッサ242は、クライアント装置210に対応しサービスサプライヤ220により提供されるＯＳＧｉバンドルBNDを取得する。記憶ユニット244はＯＳＧｉバンドルBNDを記憶するためのものである。次に、プロセッサ242はＯＳＧｉバンドルBNDを処理して、クライアント装置210にサービスを提供する。
【００１６】
一実施形態では、ＯＳＧｉバンドルBNDは、クライアント装置210の駆動プログラムを含んでいる。プロセッサ242は駆動プログラムを実行してクライアント装置210を制御し、特定の機能を実施する。例えば、クライアント装置210は、血圧、血糖（別名、血中グルコース）、心拍、心電図（ECG）又は他の医療測定の機能を有する装置である。クライアント装置210は、前記の機能を有する携帯型の装置であるのが好ましい。特定の機能は、クライアント装置210を使用するユーザ向けに、前記の血圧、血糖、心電図又は他の医療測定を実施することである。
【００１７】
詳細に説明すると、ＯＳＧｉゲートウェイ装置240がバンドルBNDを処理してクライアント装置210を制御し、医療測定の機能を実施すると、ＯＳＧｉ装置240は、サービスサプライヤ220とクライアント装置210との間の通信中継として働くことができ、それにより、サービスサプライヤ220はＯＳＧｉゲートウェイ装置240を通じて、クライアント装置210にサービスを提供することができる。例えば、クライアント装置210が血圧測定の機能を有している場合、クライアント装置210は、クライアント装置210を使用するユーザの血圧を取得することができ、ＯＳＧｉゲートウェイ装置240はユーザの血圧をサービスサプライヤ220に送信することになる。サービスサプライヤ220は、ユーザの血圧が正常であるかどうかを判断し、それに従って、ユーザに医療のサービスを提供する。
【００１８】
例えば、ユーザは、前記クライアント装置210などの携帯型の装置を装着してもよい。ユーザが心臓発作を突然起こした場合、ユーザはショック状態になり、他の人に助けを求められないことがある。このとき、ＯＳＧｉゲートウェイ装置は例えば、クライアント装置210を制御して、ユーザの血圧、脈拍及び心拍のうちの少なくとも1つを自動で測定し、その数値をサービスサプライヤ220まで送信する。ＯＳＧｉゲートウェイ装置240を通じ、サービスサプライヤ220は、ユーザが装着している携帯型の装置により検出されたユーザの血圧、脈拍及び心拍のうちの少なくとも1つを取得し、ユーザの生命機能に異常が起きていると判断し、次いで、関連ユニットからの支援をさらに適宜要請して、救急隊員を送ってユーザに応急処置を施すなどの、治療の救急サービスをユーザにさらに提供することができる。ゆえに、ＯＳＧｉ並びにそれを用いたゲートウェイ装置及びシステムに適用されるゲートウェイサービス提供方法は、家庭内看護又は遠隔医療サービスの技術を実現する上で、実質的な利点を有している。
【００１９】
前記説明では、クライアント装置210は例示的に、医療の専門的サービスを提供している。しかし、本発明はこれに限定されない。ＯＳＧｉバンドルBNDを処理したのち、プロセッサ242は、クライアント装置210のソフトウェアをアップデートしたり、又はクライアント装置210にマルチメディアデータをダウンロードしたりといった、他の種類のサービスをクライアント装置210にさらに提供することができる。すなわち、ＯＳＧｉゲートウェイ装置は、ＯＳＧｉバンドルBNDを取得し処理したのちにクライアント装置210を制御する能力を持つことができ、これによりクライアント装置210は、ＯＳＧｉゲートウェイ装置240を通じてサービスサプライヤ220と通信することができる。ゆえに、ＯＳＧｉゲートウェイ装置240は、クライアント装置210に提供することのできるサービス情報をネットワークから取得することができ、サービスをクライアント装置210に動的に提供する。
【００２０】
前記実施形態では、ＯＳＧｉゲートウェイ装置240が同一のサービスサプライヤ220を通じて、クライアント装置210に対応するＯＳＧｉバンドルBNDを取得し、クライアント装置210に所望のサービスを提供する。しかし、本発明はこれに限定されない。ＯＳＧｉゲートウェイ装置240は、異なるサーバなどの異なるサービスサプライヤを通じて、それぞれ、ＯＳＧｉバンドルBNDを取得し、サービスを提供することもできる。すなわち例えば、ＯＳＧｉゲートウェイ装置240は、サービスサプライヤ220を通じてクライアント装置210に対応するＯＳＧｉバンドルBNDを取得し、別のサービスサプライヤ（図示せず）を通じてクライアント装置210にサービスを提供することができる。
【００２１】
さらに他の一実施形態では、ＯＳＧｉゲートウェイ装置240がクライアント装置210にサービスを提供したときに、図2の管理モジュール280が、サービスサプライヤ220によりクライアント装置210に提供されるサービスに従い、料金を計算する動作を行うために使用される。料金を計算する動作は料金又はポイントの差し引きを含んでおり、毎月計算するか、又はクライアント装置210のユーザ及びサービスサプライヤ220のサプライヤが結んだ契約に従って計算する。
【００２２】
本発明の前記実施形態により提供されるＯＳＧｉゲートウェイシステムでは、ＯＳＧｉゲートウェイ装置240は例示的に、外部のサービスロケータ260問い合わせていた。しかし、本発明はこれに限定されない。サービスロケータ260をＯＳＧｉゲートウェイ装置240内に配置することもできる。すなわち、サービスロケータ260をＯＳＧｉゲートウェイ装置240内に含めることもできる。このようにして、ＯＳＧｉゲートウェイ装置が識別情報IDに従ってサービスサプライヤ220と通信したときに、ＯＳＧｉゲートウェイ装置240は、内部のサービスロケータ260に問い合わせることにより、サービスサプライヤ220と通信するためのアドレスADを取得することができる。
【００２３】
本発明の前記実施形態により提供されるＯＳＧｉゲートウェイシステム200では、クライアント装置210は、例えば携帯型の電子装置である。ユーザが携帯型の電子装置を操作すると、その携帯型の電子装置がＯＳＧｉゲートウェイ装置240の可能なサービス範囲内に位置している限り、ＯＳＧｉゲートウェイ装置240はクライアント装置及びサービスサプライヤと通信し、動的にサービスを提供することができる。
【００２４】
本発明の実施形態により開示されたＯＳＧｉ並びにそれを用いたゲートウェイ装置及びシステムに適用されるゲートウェイサービス提供方法は、クライアント装置が、クライアント装置の識別情報を取得することにより、ゲートウェイ装置を通じてユーザ向けに、より多様で役立つサービスを取得することを可能にする。さらに、本発明の実施形態により提供されるＯＳＧｉゲートウェイ装置は、TCP／IPネットワーク通信接続の使用に限定されず、クライアント装置と通信するために、赤外線又はブルートゥース通信接続をも使用することができる。ゆえに、クライアント装置がＯＳＧｉゲートウェイ装置の可能なサービス範囲内に位置している場合、ＯＳＧｉゲートウェイ装置は赤外線又はブルートゥース通信を通じてクライアント装置と通信し、クライアント装置にサービスを動的に提供することができる。本発明は、家庭内看護又は遠隔医療サービスの技術を実現する点で、実質的な利点を有している。
【００２５】
本発明を、例及び好ましい実施形態により記載したが、本発明はこれらに限定されないことを理解すべきである。むしろ、種々の変更並びに類似の構成及び手続きを包含することを意図しており、ゆえに、添付の特許請求の範囲が最も広い解釈であり、そのような変更並びに類似の構成及び手続きすべてを包含すると理解すべきである。
本出願は、2008年10月14日に提出された台湾出願第97139442号の優先権を主張し、その主題は参照により本明細書中に組み込まれる。
【図１】
2010097590.tif 000003
【図２】
2010097590.tif 000004